(57)【特許請求の範囲】
【請求項１】
電子機器筐体の側面が接する矩形状の上面および矩形状の下面、前記上面と前記下面を結ぶ側面を有し、かつ、上下の面を結ぶ側面および上面にそれぞれ開口が形成され内部が空洞の枠体と、この枠体の前記上面に形成された前記開口を挟んで設けられた１対の衝立部と、前記枠体の前記側面の開口部分に配置され、前記空洞部分の空気を外部に排出するファンとを具備した電子機器用スタンド。
【請求項２】
上下の面を結ぶ側面が矩形状に位置する４つの側面で形成されていることを特徴とする請求項１記載の電子機器用スタンド。
【発明の詳細な説明】
【０００１】
【発明の属する技術分野】
この発明は、電子計算機などの電子機器を効率よく冷却できるようにした電子機器用スタンドに関する。
【０００２】
【従来の技術】
電子計算機などのように電気信号を扱う電子機器には、電気信号を増幅する半導体素子など多くの発熱部品が使用されている。このため、電子機器を構成する筐体は発熱部品が発生した熱を外部に排出する構造になっている。
【０００３】
ここで、電子機器が発生した熱を排出する構造について、電子計算機を例にとり図３（ａ）を参照して説明する。図３（ａ）は電子計算機を横置きした場合で、符号３１は、電子計算機を構成する筐体で、筐体３１は全体が直方体状をしている。なお、電子計算機の正面方向を矢印Ｆで示し、背面方向を矢印Ｂで示している。また、筐体３１の左右の側面３１３、３１４には空気を通す多数の通気孔３２が設けられている。なお、側面３１４および側面３１４の通気孔３２は図面の関係で示されていない。
【０００４】
そして、１方の側面３１３の通気孔３２から矢印Ｙ１のように空気が取り入れられ、この空気が筐体３１内部を通って他方の側面３１４から矢印Ｙ２のように外に排出される構成とし、この間に、筐体３１内部の発熱部品を冷却するようになっている。
【０００５】
ところで、電子計算機は、机などの上に横置きすると、設置面積が広くなるため、設置面積を小さくするために縦置きで使用されることがある。ここで、電子計算機を縦置きする場合について図３（ｂ）を参照して説明する。なお図３（ｂ）には、図３（ａ）に対応する部分には同一の符号を付し、重複する説明を一部省略している。
【０００６】
電子計算機を縦置きする場合、矢印Ｆの正面を横向きにする必要から、通気孔３２が設けられた側面、例えば側面３１４が下側になる。このとき、電子計算機は縦長になり横置きに比べて重心が上方に移動する。また、下側に位置する側面３１４の面積が下面３１２よりも小さいため不安定になる。
【０００７】
したがって、電子計算機を縦置きする場合、図のように例えば電子機器用スタンド３３を利用し、その２つの衝立部３３１、３３２に電子計算機を挟むようにして固定している。なお、一方の衝立部３３２は電子計算機の陰になって見えないため示されていない。
【０００８】
このとき、通気孔３２が設けられた筐体３１の側面（例えば３１４）が電子機器用スタンド３３の上面に直接接すると、空気の排出が悪くなる。したがって、筐体３１側面（例えば３１４）と電子機器用スタンド３３の上面との間に隙間ができるように、例えば、電子機器用スタンド３３上面の４隅部分にある高さをもった支持部材３５を配置し、支持部材３５の上に電子計算機が配置される。そして、支持部材３５によってできた隙間から矢印Ｙ方向に空気が流れるようにしている。
【０００９】
【発明が解決しようとする課題】
従来の電子機器用スタンドは、電子計算機などを縦置きする場合、電子機器用スタンドの上面に支持部材を配置し、その支持部材の上に電子計算機を設置している。
【００１０】
ここで、電子機器用スタンドに電子計算機を縦置きした場合の冷却用空気の流れについて図４を参照して説明する。なお図４は、図３に対応する部分には同一の符号を付し、重複する説明を一部省略している。
【００１１】
電子機器用スタンド３３に電子計算機を縦置きすると、通気孔３２が設けられた電子計算機の筐体３１側面（例えば３１４）と電子機器用スタンド３３の面３３ａが接近する。このため、筐体３１から排出された空気は矢印Ｙで示すように電子機器用スタンド３３の面３３ａにぶつかり、空気の流れが悪くなり冷却能力が低下する。また、空気が排気される経路は衝立部に挟まれた２方向だけで、隙間の開口も狭いため排気効率が悪くなる。この結果、電子計算機内部の冷却が十分に行われず温度が上昇し、半導体素子などの電子部品の寿命が短くなるという欠点があった。
【００１２】
本発明は、上記した欠点を解決するもので、冷却効率のよい電子機器用スタンドを提供することを目的とする。
【００１３】
【課題を解決するための手段】
本発明の電子機器用スタンドは、電子機器筐体の側面が接する矩形状の上面および矩形状の下面、前記上面と前記下面を結ぶ側面を有し、かつ、上下の面を結ぶ側面および上面にそれぞれ開口が形成され内部が空洞の枠体と、この枠体の前記上面に形成された前記開口を挟んで設けられた１対の衝立部と、前記枠体の前記側面の開口部分に配置され、前記空洞部分の空気を外部に排出するファンとを具備している。
【００１４】
また、上下の面を結ぶ側面が矩形状に位置する４つの側面で形成されている。
上記した構成によれば、電子機器用スタンドは内部が空洞の枠体で形成されている。また、枠体の上下の面を結ぶ側面および上面にそれぞれ開口が形成され、そして、側面の開口部分にファンが配置されている。したがって、電子計算機などの電子機器を電子機器用スタンド上に配置する場合に、電子機器に形成された空気の通気孔部分が枠体上面にきても、通気孔部分が枠体の開口部分に一致する。この場合、電子機器内部を冷却した空気は、通気孔部分から枠体の開口部分を通って枠体の空洞部分に入る。そして、ファンによって外部に排出される。この結果、電子機器用スタンドに配置された電子機器の良好な冷却が行われる。
【００１５】
【発明の実施の形態】
本発明の実施の形態について図１を参照して説明する。図１（ａ）は電子機器用スタンドの全体の構造を示し、図１（ｂ）には電子機器用スタンド上に配置される例えば電子計算機が鎖線で示されている。電子機器用スタンドは枠体１１と、枠体１１上に設けられた１対の衝立部１２１、１２２から構成されている。枠体１１は矩形状をした平行な上下の面１１１、１１２と上下の面１１１、１１２の各辺を結ぶ例えば矩形状に配列される４つの側面１１３〜１１６から構成されている。枠体１１の内部は空洞になっており、上面１１１と１つの側面例えば１１３にそれぞれ開口１３１、１３２が形成されている。なお、衝立部１２１、１２２に連続する側面１１４、１１６は少し傾斜し、上面１１１の幅が下面１１２よりも狭くなっている。また、衝立部１２１、１２２の内側の面は枠体１１の上面１１１に直角になっている。そして、枠体１１の側面１１３の開口部１３２に枠体１１内部の空洞部分の空気を外部に排出する例えば２つのファン１４が設けられている。なお、符号１５は２つのファン１４を電源に接続するためのプラグである。
【００１６】
そして、電子機器用スタンドに例えば電子計算機を縦置きする場合、図１（ｂ）の鎖線で示すように電子計算機が衝立部１２１、１２２間に配置される。なお、電子計算機を構成する筐体１６の側面には冷却用空気を通す通気孔１７が形成されている。
【００１７】
ここで、上記した構成の電子機器用スタンドに電子計算機を縦置きした場合の冷却用空気の流れについて図２を参照して説明する。なお、図２では、図１に対応する部分には同一の符号を付し、重複する説明を一部省略している。
【００１８】
例えば、通過孔１７が設けられた筐体１６の左右２つの側面の一方が枠体１１の上面に接しても、筐体１６内部を冷却した空気は、矢印Ｙで示すように、筐体１６の側面１６１に設けられた空気の通気孔１７から枠体１１上面の開口１３１を通って、枠体１１内部の空洞部分に流れ、そして、ファン１４によって外部に排出される。
【００１９】
なお、上記した実施形態では、電子機器用スタンドに電子計算機を配置する場合で説明している。しかし、この発明は、電気信号を扱う半導体などの発熱部品を使用するその他の電子機器にも適用することができる。
【００２０】
また、上記の実施形態では、２つの側面に沿うように１対の衝立部が平行に形成されている。この場合、衝立部のない箇所が１つの方向に位置するため、電子機器用スタンドの上面からはみ出した形で電子機器を設置することができ、大きな電子機器の設置に有効である。しかし、衝立部は３つの側面に沿うようにコの字状に形成してもよく、また、４つの側面に沿うようにロの字状に形成することもできる。
【００２１】
【発明の効果】
本発明によれば、冷却効率のよい電子機器用スタンドを実現できる。
【図面の簡単な説明】
【図１】本発明の実施の形態を示す斜視図である。
【図２】本発明の動作を説明する図である。
【図３】従来例を示す斜視図である。
【図４】従来例の動作を説明する図である。
【符号の説明】
１１…枠体
１１１…枠体の上面
１１２…枠体の下面
１１３〜１１６…枠体の側面
１２１、１２２…衝立部
１３１…枠体側面の開口
１３２…枠体上面の開口
１４…ファン
１５…プラグ
１６…電子計算機の筐体
１７…通気孔
【図１】
0003799109.tif 000002
【図２】
0003799109.tif 000003
【図３】
0003799109.tif 000004
【図４】
0003799109.tif 000005